(57)【特許請求の範囲】
【請求項１】
窓框のガラス板が嵌め込まれる框内部空間において、該窓框が窓枠に枢着される側の縦框の下部内面と下部側の横框の内面間に、縦片部と水平片部とからなり、該縦片部の長さが５０ｍｍ以上であり、且つ枢着部側の縦框内面の長さの半分以下である側面視がＬ字状の金属製ガラス板保持材を、前記縦框に縦片部を螺着して固定するとともに、該ガラス板保持材の水平片部上に、窓框に嵌め込むガラス板の下部一端を保持させて、該ガラス板の下部他端を下部側の横框の内面から離間させた状態に保持したことを特徴とする窓框におけるガラス板の保持構造。
【請求項２】
戸先側の縦框の上部内面にガラス板受け台を設け、該ガラス板受け台上に、ガラス板の戸先側の側部上部を保持させたことを特徴とする請求項１記載の窓框におけるガラス板の保持構造。
【請求項３】
ガラス板保持材の水平片部の上面にガラス板受け台を設け、該ガラス板受け台を介在させて上記ガラス板保持材の水平片部上にガラス板の下部一端を保持させたことを特徴とする請求項１又は請求項２記載の窓框におけるガラス板の保持構造。
【請求項４】
窓框が、合成樹脂製である請求項１〜３のいずれかに記載の窓框におけるガラス板の保持構造。
【発明の詳細な説明】
【０００１】
【発明の属する技術分野】
本発明は、窓框におけるガラス板の保持構造に関する。
【０００２】
【従来の技術】
開き窓に用いられる窓框の一般的な類型として、一方の縦框の側面が窓枠に枢着され、該枢着部を軸として窓枠からの開閉が行われるものがある。
【０００３】
こうした窓框において、框内部空間へのガラス板の嵌め込みは、通常、図５に示すようにガラス板（１）と窓框（２）の四辺を形成する各框材（３ａ）（３ｂ）（３ｃ）（３ｄ）との間に、ガラス板受け台（４ａ）（４ｂ）（４ｃ）（４ｄ）（４ｅ）（４ｆ）をそれぞれ介在させてガラス板を保持することにより行われている。そうして、このガラス板受け台は、下部側の横框（３ａ）においては、ガラス板（１）の安定性の面から、少なくとも該下部側の横框の両端近くの２箇所（４ａ）（４ｂ）に各設けるのが一般的である。
【０００４】
【発明が解決しようとする課題】
ところで、ガラス板はかなりの重みを有しており、特に、窓が大型であったり、防音性や断熱性に優れる複層タイプのものである場合には非常に重いものになり、窓框の重量の大部分を占める。
【０００５】
支持された物体の重みは、水平方向において支持部からの距離が遠くなるほど増すから、窓が開いた状態において、上記ガラス板（１）から、下部側の横框（３ａ）に加わる荷重は、窓框が窓枠に枢着される側（以下、枢着部側と略する）の端部よりも、戸先側の端部に近い箇所ほどより大きくなる。即ち、前記ガラス板受け台（４ａ）（４ｂ）をとおして、下部側の横框（３ａ）にかかるガラス板（１）の重みは、該枢着部側の端部付近に設けられた受け台（４ａ）をとおしてのものよりも、戸先側の端部付近に設けられた受け台（４ｂ）をとおしてのものの方が圧倒的に大きくなる。
【０００６】
その結果、こうした開き窓では、上記ガラス板を保持するための荷重の偏りに起因して、窓框の変形が生じ易い問題があった。特に、窓框の材質が、ポリ塩化ビニル等の合成樹脂製である場合には、この問題は発生し易く、窓を開けた累積時間が長くなるにつれて、下部側の横框において戸先側が下方に垂下して変形が生じる現象、いわゆる戸先下がりが生じて、窓框が窓枠に納まらなくなったり、ガラス板が落脱する問題が発生していた。
【０００７】
このため、下部側の横框において、戸先側の端部付近に設けるガラス板受け台を、該戸先側の端部からある程度内側へ離して設けることなどが行われているが、上記問題を根本的に解決することには至っていない。
【０００８】
このような背景から、前記構造の開き窓に用いる窓框おいて、窓枠に枢着後、長期間経過しても変形が生じ難いガラス板の保持構造を開発することが大きな課題であった。
【０００９】
【課題を解決するための手段】
本発明者らは、上記課題に鑑み、鋭意研究を続けてきた。その結果、枢着部側の縦框の下部内面と下部側の横框の内面間に、特定の長さの縦片部と、水平片部とからなる側面視がＬ字状の金属製ガラス板保持材を、前記縦框に縦片部を螺着して固定し、該金属製ガラス板保持材の上に、ガラス板の下部一端を保持させ、下部他端は下部側の横框の内面から離間させることにより、上記の課題が解決できることを見出し本発明を完成するに至った。
【００１０】
即ち、本発明は、窓框のガラス板が嵌め込まれる框内部空間において、該窓框が窓枠に枢着される側の縦框の下部内面と下部側の横框の内面間に、縦片部と水平片部とからなり、該縦片部の長さが５０ｍｍ以上であり、且つ枢着部側の縦框内面の長さの半分以下である側面視がＬ字状の金属製ガラス板保持材を、前記縦框に縦片部を螺着して固定するとともに、該ガラス板保持材の水平片部上に、窓框に嵌め込むガラス板の下部一端を保持させて、該ガラス板の下部他端を下部側の横框の内面から離間させた状態に保持したことを特徴とする窓框におけるガラス板の保持構造である。
【００１１】
【発明の実施の形態】
以下、添付図面に基づいて、本発明を具体的に説明する。
【００１２】
図１は、本発明の保持構造によってガラス板を嵌め込んだ窓框の正面図であり、図２は、該窓框において、ガラス板保持材を設けた部分付近の拡大図である。
【００１３】
図１の窓框（２）において、ガラス板（１）は、框内部空間（５）に嵌め込まれている。そして、この窓框（２）では、枢着部側の縦框（３ｃ）の下部内面と下部側の横框（３ａ）の内面間に、縦片部（７）と水平片部（８）とからなる側面視がＬ字状の金属製ガラス板保持材（６）が、前記縦框（３ｃ）に縦片部（７）を螺着することにより固定されている。そうして、上記図１の窓框では、ガラス板（１）の下部の保持が、上記ガラス板保持材（６）の水平片部（８）上に、ガラス板（１）の下部一端を保持させ、且つ下部他端を下部側の横框（３ａ）の内面から離間させた状態にすることにより行われている。
【００１４】
このため、図１の窓框では、ガラス板（１）の重量は、上記ガラス板保持材（６）の水平片部（８）にほぼすべて荷重される。そして、この水平片部（８）に荷重された重みは、ガラス板保持材（６）が縦片部（７）を枢着部側の縦框（３ｃ）に螺着することにより行われているため、該縦框（３ｃ）により支持され、下部側の横框（３ａ）にはほとんど荷重されない。また、荷重されたとしても、該水平片部（８）は、下部側の横框（３ａ）の枢着部側端部に位置しているため、下部側の横框（３ａ）に加わる負担は小さい。さらに、同様に、上記縦框（３ｃ）にかかるガラス板（１）を支持する力も、該縦框は窓框を支持する枢着部に隣接しているため、最も軽減された状態で窓框に荷重される。
【００１５】
その結果、図１の窓框では、下部側の横框（３ａ）にかかる上記ガラス板（１）を保持する力は最も軽減された状態で、該横框に荷重される。従って、上記構造によりガラス板を保持することにより、戸先下がり等の框枠の変形が、大幅に抑制される。
【００１６】
本発明において、上記ガラス板保持材（６）は、縦片部（７）と水平片部（８）とからなり、該縦片部（７）の長さが５０ｍｍ以上であり、且つ枢着部側の縦框内面の長さの半分以下である側面視がＬ字状の金属製部材であり、その縦片部に螺着用のネジ挿通孔（９）が少なくとも１個、好ましくはその縦方向に適度な間隔を空けて2又は３個穿孔されている。ここで、縦片部（７）及び水平片部（８）は、平板状であっても良いが、強度を向上させるため、図３のガラス板保持材の正面図に示されるように、その両側縁を上方に屈曲させて、側壁部（１０）を有する断面がコ字状のものを用いるのが好ましい。
【００１７】
縦片部の長さは、５０ｍｍ以上、好適には１００ｍｍ以上であり、枢着部側の縦框内面の長さの半分以下である。また、この縦片部の長さは、好適には該長さの１〜３０％、より好適には２〜２０％であるのが、窓框への固定の安定性の面から好ましい。他方、水平片部の長さは、下部側の横框内面の長さの半分以下であり、好適には該長さの３〜３０％、より好適には５〜２０％であるのが、ガラス板の保持の確実性と、下部側の横框において戸先側の端部に荷重がかかるのを防止する観点から好ましい。また、水平片部の長さは、前記縦片部長さの２００％以下、好適には１００％以下であるのが好ましく、通常は、７０〜２００ｍｍから採択されるのが好ましい。
【００１８】
また、縦片部及び水平片部の幅は、嵌め込まれるガラス板の側部及び下部を保持可能な幅以上であれば特に制限されない。縦片部及び水平片部の厚みは、ガラス板を保持するのに必要な強度が確保できる厚み以上であることが必要であり、一般には２〜８ｍｍであるのが好適である。
【００１９】
ガラス板保持材の材質は、ガラス板を保持するのに十分な強度を確保する点から、機械的強度に優れた金属を用いることが必要であり、具体的には、ＳＵＳ等のステンレス綱、綱鉄などを用いるのが好適である。
【００２０】
上記ガラス板保持材は、框内面への密着性を向上させるために、その底面等にラバーシートを貼着させても良い。また、こうしたラバー材により、その表面をコーティングして用いることも好適な態様である。
【００２１】
上記本発明のガラス板の保持構造において、ガラス板（１）には、戸先側が下方に向かって傾倒しようとする力が働く。従って、ガラス板保持材（６）の水平片部（７）によるガラス板（１）の保持が十分でない場合には、戸先側の縦框（３ｄ）の上部に上記作用による力が強く荷重され、これにより窓框の変形が生じる危険性がある。
【００２２】
このため、本発明では、戸先側の縦框（３ｄ）の上部内面に扁平な板状物であるガラス板受け台（４ｆ）を設け、該ガラス板受け台上に、ガラス板（１）の戸先側の側部上部を保持させるのが好ましい。このようにして、縦框（３ｄ）内面にガラス板（１）の側部を直接接触させることなく保持させた場合、該縦框とガラス板との間に形成された間隙が緩衝空間として作用し、上記問題が生じ難くなる。
【００２３】
ここで、上記ガラス板受け台は、戸先側の縦框（３ｄ）の内面において、全長の半分より上部側、好適には３／４〜１９／２０の位置に設けるのが効果的である。
【００２４】
また、ガラス板受け台（４ｆ）の長さは、通常、２〜１５ｃｍであるのが一般的である。また、その厚みは、一般には２〜１０ｍｍであるのが好適である。
【００２５】
こうしたガラス板受け台の材質は、通常は、ポリエステル、ポリオレフィン、ポリ塩化ビニル等の合成樹脂が好適である。
【００２６】
また、本発明においては、上部側の横框（３ｂ）の戸先側の下部内面にも、前記と同様のガラス板受け台（４ｄ）を設け、該ガラス板受け台上に、ガラス板（１）の上部を保持させるのが、上記窓框の変形の防止の観点から一層に好ましい。
【００２７】
この場合、該上部側横框の戸先側に設けるガラス板受け台は、上記横框（３ｂ）の内面において、全長の半分よりも戸先側、好適には戸先側の端部を起点として１／４〜１／２０の位置に設けるのが効果的である。
【００２８】
さらに、本発明においては、ガラス板の保持の確実性の面から、上部側の横框（３ｂ）の枢着部側の下部内面にも、同様のガラス板受け台（４ｄ）を設け、該ガラス板受け台上に、ガラス板（１）の上部を保持させても良い。
【００２９】
本発明において、ガラス板保持材（６）の水平片部（８）による、ガラス板（１）の下部一端の保持は、ガラス板の端部を該水平片部上に直接に載置して行っても良いが、その場合、該ガラス板保持材が金属製であることから、該保持箇所でガラス板に割れが生じる危険性がある。従って、本発明では、ガラス板保持材の水平片部の上面にも、前記と同様のガラス板受け台（４ｇ）を設け、該ガラス板受け台を介在させて、上記ガラス板保持材の水平片部上にガラス板の下部一端を保持させるのが好ましい。
【００３０】
その場合、上記ガラス板受け台は、ガラス板保持材の水平片部の上面全面に設けても良いが、通常は、下部側の横框の内面に対して、枢着部側の端部を起点として１／４以下の位置に設けるのが効果的である。
【００３１】
また、上記水平片部の上面に設けるガラス板受け台の厚みは、該水平片部との合計の厚みが２〜１０ｍｍになるようにするのが好ましい。
【００３２】
また、本発明においては、ガラス板保持材（６）の縦片部（７）の上面にも、同様のガラス板受け台（４ｈ）を設け、該ガラス板受け台を介在させて上記ガラス板保持材の縦片部上にガラス板（１）の側面下部を保持させるのも良好な態様である。
【００３３】
その場合、このガラス板受け台（４ｈ）は、ガラス板保持材の縦片部の上面全面に設けても良いが、通常は、枢着部側の縦框の内面に対して１／４以下の位置に設けるのが効果的である。
【００３４】
なお、上記の各ガラス板受け台を設けるに際し、ガラス板受け台とガラス板と密着性が悪い場合には、さらに、その間に薄板状のスペーサー材（１１）を適宜挿入し、両者の密着性をより高めても良い。このスペーサー材の素材は、前記したような合成樹脂が使用されるのが一般的である。
【００３５】
本発明において、ガラス板の四辺と各框材との間に、上記ガラス板保持材やガラス受け台を設置することにより形成される間隙（１２）は、ガラス板の各側辺が框材に直接接触しないための緩衝空間としての役目をはたす他、ガラス板に付着した雨水や結露の流露としても機能する。
【００３６】
本発明において框材の材質は、特に制限されるものではなく、アルミニウム等の軽金属製であっても良いが、ポリ塩化ビニル等の合成樹脂製である場合、該材質の窓框は戸先下がり等の窓框の変形が比較的生じ易く、本発明の効果が特に顕著に発揮されるため好ましい。
【００３７】
また、框内部空間に嵌め込むガラス板が、大型であったり、複層タイプである場合には、上記窓框の変形を防止する本発明の効果がより顕著に発揮されるため好ましい。
【００３８】
【発明の効果】
本発明のガラス板の保持構造によれば、窓框に枢着後、長期間が経過しても、戸先下がり等の窓框の変形が生じ難い。
【００３９】
特に、戸先側の縦框の上部内面にガラス板受け台を設け、該ガラス板受け台上に、ガラス板の戸先側の側部上部を保持させた場合には、上記窓框の変形は一層に生じ難い。
【００４０】
また、ガラス板保持材の水平片部の上面にガラス板受け台を設け、該ガラス板受け台を介在させて上記ガラス板保持材の水平片部上にガラス板の下部一端を保持させた場合には、かかる保持箇所において、ガラス板の割れが生じ難く好ましい。
【００４１】
さらに、窓框がポリ塩化ビニル等の合成樹脂製である場合には、上記窓框の変形を防止する効果は特に顕著に発揮され好ましい。
【図面の簡単な説明】
【図１】  図１は、本発明の窓框におけるガラス板の保持構造を示す正面図である。
【図２】  図２は、図１におけるガラス板保持材を設けた部分付近の拡大図である。
【図３】  図３は、本発明で使用するガラス板保持材の正面図である。
【図４】  図４は、本発明で使用するガラス板保持材の左側面図である。
【図５】  図５は、従来の窓框におけるガラス板の保持構造を示す正面図である。
【符号の説明】
１；ガラス板
２；窓框
３ａ；下部側の横框
３ｂ；上部側の横框
３ｃ；枢着部側の縦框
３ｄ；戸先側の縦框
４ａ，４ｂ，４ｃ，４ｄ，４ｅ，４ｆ，４ｇ，４ｈ；ガラス板受け台
５；框内部空間
６；ガラス板保持材
７；縦片部
８；水平片部
９；ネジ挿通孔
１０；側壁部
１１；スペーサー材
１２；間隙
１３；枢着部
１４；ネジ
【図１】
0003751180.tif 000002
【図２】
0003751180.tif 000003
【図３】
0003751180.tif 000004
【図４】
0003751180.tif 000005
【図５】
0003751180.tif 000006